(57)【特許請求の範囲】
【請求項１】
偏光メガネを着用して映像を観察する立体映像表示装置であり、
映像信号を生成することができる表示部と、
前記表示部で生成された映像信号をお互いに偏光状態が相異なっている２種以上の信号に分割することができる第１の領域及び第２の領域を含み、前記第１の領域及び前記第２の領域は、位相差層を各々含むフィルター部と、
右眼用領域及び左眼用領域が位相差層と偏光子を各々含む偏光メガネと、を含み、
前記偏光メガネを着用して観察する映像のクロストークの割合が６％以下であり、
前記第１の領域から出射された右眼用映像信号が前記右眼用領域を透過した映像信号、および前記第２の領域から出射された左眼用映像信号が前記左眼用領域を透過した映像信号についてのＣＩＥ色空間の三色刺激値のＸ値及びＹ値が各々０.３２２〜０.３４４及び０.３１６〜０.３５０であり、
前記第１の領域から出射された右眼用映像信号が前記左眼用領域を透過した映像信号、および前記第２の領域から出射された左眼用映像信号が前記右眼用領域を透過した映像信号についてのＣＩＥ色空間の三色刺激値のＸ値及びＹ値が各々０.２２３〜０.４４３及び０.０７８〜０.５８９である、立体映像表示装置。
【請求項２】
前記フィルター部の位相差層は、λ/４波長層である、請求項１に記載の立体映像表示装置。
【請求項３】
前記第１の領域の位相差層の光軸と前記第２の領域の位相差層の光軸は、お互いに相異なっている方向に形成されている、請求項２に記載の立体映像表示装置。
【請求項４】
前記フィルター部の位相差層及び前記偏光メガネの位相差層は、正常波長分散特性、フラット波長分散特性または逆波長分散特性を有する、請求項１から３のいずれか一項に記載の立体映像表示装置。
【請求項５】
前記正常波長分散特性の位相差層は、Ｒ(４５０)/Ｒ(５５０)が１.０１〜１.１９であり、Ｒ(６５０)/Ｒ(５５０)が０.８１〜０.９９であり、前記Ｒ(４５０)、Ｒ(５５０)及びＲ(６５０)は、各々４５０ｎｍ、５５０ｎｍ及び６５０ｎｍの波長の光に対する前記位相差層の位相差値である、請求項４に記載の立体映像表示装置。
【請求項６】
前記正常波長分散特性の位相差層は、{Ｒ(６５０)−Ｒ(４５０)}/{２００ × Ｒ(５５０)}が −０.００１９〜−０.０００１である、請求項５に記載の立体映像表示装置。
【請求項７】
前記フラット波長分散特性の位相差層は、Ｒ(４５０)/Ｒ(５５０)が１.０１〜１.１９であり、Ｒ(６５０)/Ｒ(５５０)が１.０１〜１.１９であり、前記Ｒ(４５０)、Ｒ(５５０)及びＲ(６５０)は、各々４５０ｎｍ、５５０ｎｍ及び６５０ｎｍの波長の光に対する前記位相差層の位相差値である、請求項４に立体映像表示装置。
【請求項８】
前記フラット波長分散特性の位相差層は、{Ｒ(６５０)−Ｒ(４５０)}/{２００ × Ｒ(５５０)}が −０.０００９〜０.０００９である、請求項７に記載の立体映像表示装置。
【請求項９】
前記逆波長分散特性の位相差層は、Ｒ(４５０)/Ｒ(５５０)が０.８１〜０.９９であり、Ｒ(６５０)/Ｒ(５５０)が１.０１〜１.１９であり、前記Ｒ(４５０)、Ｒ(５５０)及びＲ(６５０)は、各々４５０ｎｍ、５５０ｎｍ及び６５０ｎｍの波長の光に対する前記位相差層の位相差値である、請求項４に記載の立体映像表示装置。
【請求項１０】
前記逆波長分散特性の位相差層は、Ｒ(６５０)−Ｒ(４５０)}/{２００ × Ｒ(５５０)}が ０.０００１〜０.００１９である、請求項９に記載の立体映像表示装置。
【請求項１１】
前記フィルター部の位相差層及び前記偏光メガネの位相差層は、お互いに同一な波長分散特性を有し、下記数式４を満足する、請求項１から１０のいずれか一項に記載の立体映像表示装置。
［数４］
−２０ｎｍ≦Ｒ２(λ)−Ｒ１(λ)≦２０ｎｍ
前記数式４において、Ｒ１(λ)は、λｎｍの波長の光に対して測定した前記フィルター部の位相差層の位相差値であり、Ｒ２(λ)は、λｎｍの波長の光に対して測定した前記偏光メガネの位相差層の位相差値である。
【請求項１２】
前記フィルター部の位相差層は、逆波長分散特性を有する、請求項１１に記載の立体映像表示装置。
【請求項１３】
前記フィルター部の位相差層及び偏光メガネの位相差層は、お互いに相異なっている波長分散特性を有し、下記数式５を満足する、請求項１から１０のいずれか一項に記載の立体映像表示装置。
［数５］
−４０ｎｍ≦Ｒ２(λ)−Ｒ１(λ)≦４０ｎｍ
前記数式５において、Ｒ１(λ)は、λｎｍの波長の光に対して測定した前記フィルター部の位相差層の位相差値であり、Ｒ２(λ)は、λｎｍの波長の光に対して測定した前記偏光メガネの位相差層の位相差値である。
【請求項１４】
前記フィルター部の位相差層は、フラット波長分散特性を有し、偏光メガネの位相差層は逆波長分散特性または正常波長分散特性を有する、請求項１３に記載の立体映像表示装置。
【請求項１５】
前記フィルター部の位相差層は、正常波長分散特性を有し、偏光メガネの位相差層は、逆波長分散特性またはフラット波長分散特性を有する、請求項１３に記載の立体映像表示装置。
【請求項１６】
前記フィルター部の位相差層は、逆波長分散特性を有し、偏光メガネの位相差層は、正常波長分散特性またはフラット波長分散特性を有する、請求項１３に記載の立体映像表示装置。
【請求項１７】
前記右眼用領域の偏光子の吸収軸と前記左眼用領域の偏光子の吸収軸がお互いに平行に形成されており、お互いに平行に形成されている各偏光子の吸収軸は、前記右眼用領域の中心と前記左眼用領域の中心を連結する仮想の線が前記立体映像表示装置の第１の領域及び第２の領域の境界と垂直または水平を成すように配置した状態で第１の偏光板の吸収軸と垂直を成すように配置される、請求項１から１６のいずれか１項に記載の立体映像表示装置。
【請求項１８】
前記偏光メガネの前記右眼用領域及び前記左眼用領域の位相差層は、各々前記フィルター部の前記第１の領域及び前記第２の領域に含まれる位相差層と下記一般式１または一般式２の条件を満足する、請求項１７に記載の立体映像表示装置。
[一般式１]
ＤＬ＝|Θ２−ΘＬ|≦１５度
[一般式２]
ＤＲ＝|Θ１−ΘＲ|≦１５度
前記一般式１及び前記一般式２において、ＤＬは、前記第２の領域の位相差層の光軸及び前記左眼用領域の位相差層の光軸の相対的な離脱程度であり、Θ２は、前記第２の領域の位相差層の光軸が第１の偏光板の吸収軸と成す角度であり、ΘＬは、前記左眼用領域の偏光子の吸収軸を前記第１の偏光板の吸収軸と垂直になるように配置した状態で、前記左眼用領域の位相差層の光軸と第１の偏光板の吸収軸が成す角度であり、ＤＲは、前記第１の領域の位相差層の光軸及び前記右眼用領域の位相差層の光軸の相対的な離脱程度であり、Θ１は、前記第１の領域の位相差層の光軸が前記第１の偏光板の吸収軸と成す角度であり、ΘＲは、前記右眼用領域の偏光子の吸収軸を前記第１の偏光板の吸収軸と垂直になるように配置した状態で、前記右眼用領域の位相差層の光軸と前記第１の偏光板の吸収軸が成す角度である。
【請求項１９】
前記フィルター部の位相差層及び前記偏光メガネの位相差層は、正常波長分散特性、フラット波長分散特性または逆波長分散特性を有し、
但し、前記フィルター部の位相差層及び前記偏光メガネの位相差層がともに正常波長分散特性を有する場合を除く請求項１に記載の立体映像表示装置。
【請求項２０】
前記フィルター部の位相差層は正常分散波長特性を有し、前記偏光メガネの位相差層は、正常波長分散特性を有し、前記フィルター部の位相差層と、前記偏光メガネの位相差層は、さらに下記数式６を満足する、請求項１に記載の立体表示装置。
［数６］
−５ｎｍ≦Ｒ２(λ)−Ｒ１(λ)≦５ｎｍ
前記数式６において、Ｒ１(λ)は、λｎｍの波長の光に対して測定した前記フィルター部の位相差層の位相差値であり、Ｒ２(λ)は、λｎｍの波長の光に対して測定した前記偏光メガネの位相差層の位相差値である。
【発明の詳細な説明】
【技術分野】
【０００１】
本発明は、立体映像表示装置及び偏光メガネに関する。
【背景技術】
【０００２】
立体映像表示装置(ｓｔｅｒｅｏｓｃｏｐｉｃ ｉｍａｇｅ ｄｉｓｐｌａｙ ｄｅｖｉｃｅ)は３次元情報を観察者に伝達することができる表示装置である。
【０００３】
立体映像を表示する方式は、眼鏡方式と無眼鏡方式に大きく分けられる。前記眼鏡方式は、偏光メガネ方式とＬＣシャッタメガネ(ＬＣ ｓｈｕｔｔｅｒ ｇｌａｓｓ)方式に分類することができ、無眼鏡方式は、２眼式/多視点両眼視差方式、体積型方式またはボログラフィック方式などに分類することができる。
【発明の概要】
【発明が解決しようとする課題】
【０００４】
本発明は、立体映像表示装置及び偏光メガネを提供することを目的とする。
【課題を解決するための手段】
【０００５】
前記目的を達成するための本発明の例示的な立体映像表示装置(以下、「３Ｄ装置」)は、偏光メガネを着用して立体映像を観察する装置である。一例において、前記３Ｄ装置は、後述する表示部及びフィルター部などと共に前記偏光メガネを含むことができる。
【０００６】
前記偏光メガネは、右眼用領域(以下、「ＧＲ領域」)及び左眼用領域(以下、「ＧＬ領域」)を含むことができる。前記右眼用領域は、観察者が偏光メガネを着用すれば、観察者の右眼上に位置する領域を意味し、左眼用領域は、観察者が偏光メガネを着用すれば、観察者の左眼上に位置する領域を意味する。
【０００７】
３Ｄ装置は、表示部及びフィルター部を含むことができる。また、３Ｄ装置は、表示部及びフィルター部の間に存在する偏光板をさらに含むことができる。一例において、３Ｄ装置は、駆動状態で表示部に生成された映像信号が前記偏光板を経てフィルター部に入射された後、フィルター部を透過して偏光メガネを着用している観察者に伝達されるように前記表示部、偏光板及びフィルター部を順に含むことができる。
【０００８】
本明細書の用語「駆動状態」は、特定しない限り、３Ｄ装置が立体映像を観察者に表示している状態を意味する。
【０００９】
図１は、例示的な３Ｄ装置を上部から観察した状態を示した図である。図１において、矢印は駆動状態で映像信号が進行する方向を意味し、観察者１０６は、例えば、偏光メガネを着用して立体映像を観察することができる。
【００１０】
図１の装置１０は、表示部１０３及びフィルター部１０５を含み、偏光板１０４が表示部１０３とフィルター部１０５との間に位置している。
【００１１】
図１のように、３Ｄ装置１０は、表示部１０３の偏光板１０４とは反対側に順に配置された偏光板１０２及び光源１０１をさらに含むことができる。以下、本明細書では説明の便宜のために表示部１０３とフィルター部１０５との間に位置する偏光板１０４は、第１の偏光板と称し、前記第１の偏光板の反対側に位置する偏光板１０２は、第２の 偏光板と称する。
【００１２】
３Ｄ装置１０に含まれる第１及び第２の偏光板１０２、１０４は、透過軸及び前記透過軸と直交する吸収軸が形成されている光学素子である。偏光板に光が入射されると、偏光板は入射された光のうち偏光板の透過軸方向と平行な偏光軸を有する光のみを透過させることができる。
【００１３】
一例において、３Ｄ装置１０に含まれる第１の偏光板１０４の吸収軸と第２の偏光板１０２の吸収軸は、お互いに垂直をなしている。このような場合、第１及び第２の偏光板１０２、１０４の透過軸もお互いに垂直を成している。本明細書において、「垂直」、「水平」、「直交」または「平行」のような角度を規定する用語は、各々目的効果を損傷させない範囲内での実質的な垂直、水平、直交または平行を意味する。したがって、前記各用語は、製造誤差(ｅｒｒｏｒ)または偏差(ｖａｒｉａｔｉｏｎ)などを考慮したもので、例えば、約±１５度以内の誤差、約±１０度以内の誤差または約±５度以内の誤差を含むことができる。
【００１４】
光源１０１では、例えば、ＬＣＤ(Ｌｉｑｕｉｄ Ｃｒｙｓｔａｌ Ｄｉｓｐｌａｙ)で通常的に使われる直下型(ｄｉｒｅｃｔ ｔｙｐｅ)またはエッジ型(ｅｄｇｅ ｔｙｐｅ)のバックライトユニット(ＢＬＵ：Ｂａｃｋ Ｌｉｇｈｔ Ｕｎｉｔ)を使用することができる。光源１０１では、前記外にも多様な種類を制限なしに使用することができる。
【００１５】
３Ｄ装置の表示部は、駆動状態で映像信号、例えば、右眼用信号(以下、「Ｒ信号」)と左眼用信号(以下、「Ｌ信号」)を含む映像信号を生成することができる。一例において、表示部は、駆動状態でＲ信号を生成することができる右眼用信号生成領域(以下、「ＲＳ領域」)及びＬ信号を生成することができる左眼用信号生成領域(以下、「ＬＳ領域」)を含むことができる。
【００１６】
表示部は、例えば、透過型液晶パネルを含む領域または前記液晶パネルの液晶層により形成される領域である。透過型液晶パネルは、例えば、光源１０１側から順次に第１の基板、画素電極、第１の配向膜、液晶層、第２の配向膜、共通電極及び第２の基板を含むことができる。光源１０１側の第１の基板には、例えば、透明画素電極に電気的に接続された駆動素子として、ＴＦＴ(Ｔｈｉｎ Ｆｉｌｍ Ｔｒａｎｓｉｓｔｏｒ)と配線などを含むアクティブ型駆動回路が形成されている。前記画素電極は、例えば、ＩＴＯ(Ｉｎｄｉｕｍ Ｔｉｎ Ｏｘｉｄｅ)などを含み、画素別電極として機能することができる。また、第１または第２の配向膜は、例えば、ポリイミドなどの材料を含むことができる。液晶層は、例えば、ＶＡ(Ｖｅｒｔｉｃａｌ Ａｌｉｇｎｍｅｎｔ)、ＴＮ(Ｔｗｉｓｔｅｄ Ｎｅｍａｔｉｃ)、ＳＴＮ(Ｓｕｐｅｒ Ｔｗｉｓｔｅｄ Ｎｅｍａｔｉｃ)またはＩＰＳ(Ｉｎ ＬＣａｎｅ Ｓｗｉｔｃｈｉｎｇ)モードの液晶を含むことができる。液晶層は、駆動回路に印加される電圧により、光源１０１からの光を画素別に透過または遮断する機能を有する。共通電極は、例えば、ＩＴＯなどを含み、共通の対向電極として機能することができる。
【００１７】
表示部１０３は、駆動状態でＲまたはＬ信号を生成することができる領域として、一つ以上の画素(ｐｉｘｅｌ)により形成されるＲＳ領域及びＬＳ領域を含む。例えば、前記液晶パネルで第１及び第２の配向膜の間に密封された液晶を含む単位画素または２個以上の単位画素が組み合わされて前記ＲＳ領域またはＬＳ領域を形成している。
【００１８】
ＲＳ領域及びＬＳ領域は、行及び/または列方向に配置されている。図２は、例示的なＲＳ領域及びＬＳ領域の配置を示した図である。図２のように、ＲＳ領域及びＬＳ領域は、共通方向に延長するストライプ形状を有し、隣接して相互に配置されている。図３は、他の例示的な配置を示した図として、ＲＳ領域及びＬＳ領域が格子パターンでお互いに隣接して相互に配置されている。ＲＳ領域及びＬＳ領域の配置は、図２及び図３の配置に限定されるものではなく、この分野で知られている多様なデザインであればいずれも適用することができる。
【００１９】
表示部は、駆動状態で信号によって各領域の画素を駆動することでＲ信号及びＬ信号を含む映像信号を生成することができる。
【００２０】
例えば、図１を参照すれば、光源１０１から出射した光が第２の偏光板１０２に入射すれば、前記偏光板１０２の透過軸と平行に偏光された光のみが偏光板１０２を透過する。透過された光が表示部１０３に入射して、ＲＳ領域を透過した光はＲ信号になり、ＬＳ領域を透過した光はＬ信号になる。Ｒ信号及びＬ信号が第１の偏光板１０４に入射すれば、前記偏光板１０４の透過軸と平行に偏光された信号のみが前記偏光板１０４を透過してフィルター部１０５に入射される。
【００２１】
フィルター部１０５は、駆動状態で表示部１０３に生成された映像信号をお互いに偏光状態が異なる２種以上の信号に分割するように形成されている第１の領域と第２の領域とを含むことができる。前記第１及び第２の領域の中でいずれの一つの領域は、表示部１０３から伝達される信号の中でＲ信号が入射されるように配置されている右眼用信号偏光調節領域(以下、「ＲＣ領域」)であり、他の一つの領域は、Ｌ信号が入射されるように配置されている左眼用信号偏光調節領域(以下、「ＬＣ領域」)である。本明細書では、第１の領域とＲＣ領域は同一な意味で使用し、第２の領域はＬＣ領域と同一な意味で使用することができる。
【００２２】
ＲＣ領域及び/またはＬＣ領域は位相差層を含むことができる。一例において、ＬＣ領域は、第１の方向に光軸が形成されている位相差層を含み、ＲＣ領域は、第１の方向とは異なる第２の方向に光軸が形成されている位相差層を含む。本明細書で用語「光軸」は、光が該当領域を透過する過程での遅相軸(ｓｌｏｗ ａｘｉｓ)または進相軸(ｆａｓｔ ａｘｉｓ)、例えば、遅相軸を意味する。
【００２３】
フィルター部１０５のＲＣ領域は、駆動状態でＲＳ領域から生成及び伝達されるＲ信号が入射されるようにＲＳ領域の対応位置にＲＳ領域と対応するサイズで配置されており、ＬＳ領域は、ＬＳ領域から生成及び伝達されるＬ信号が入射されるようにＬＳ領域の対応位置にＬＳ領域と対応するサイズで配置されている。ＲＳ領域またはＬＳ領域に対応する位置に対応するサイズでＲＣ領域またはＬＣ領域が形成されるというのは、ＲＳ領域で生成されたＲ信号がＲＣ領域に入射されることができる位置及びサイズと、ＬＳ領域で生成されたＬ信号がＬＣ領域に入射されることができる位置及びサイズとを意味することで、必ず両側が同一な位置に同一なサイズで形成されなければならないことを意味することではない。
【００２４】
ＲＣ領域及びＬＣ領域は、例えば、表示部のＲＳ及びＬＳ領域の配置に対応して共通方向に延長するストライプ形状で形成され、また、お互いに隣接して相互に配置されているかあるいは格子パターンでお互いに隣接して相互に配置されている。例えば、ＲＳ領域及びＬＳ領域が、図２のように配置されている場合、ＲＣ領域及びＬＣ領域は、図４のような形態で配置され、ＲＳ領域及びＬＳ領域が、図３のように配置されている場合、ＲＣ領域及びＬＣ領域は、図５のような形態で配置される。
【００２５】
駆動状態でＲＣ領域を透過した信号とＬＣ領域を透過した信号は、お互いに異なる偏光状態を有することができる。
【００２６】
例えば、ＲＣ領域を透過した信号とＬＣ領域を透過した信号の中でいずれの一つは、左円偏光された信号であり、他の一つは右円偏光された信号である。このような場合には、表示部で生成されたＲ信号は、第１の偏光板を経てＲＣ領域に入射した後、左円偏光または右円偏光された状態で出射され、また、Ｌ信号は、第１の偏光板を経てＬＣ領域に入射した後、前記Ｒ信号とは偏光軸の回転方向が逆方向になるように右円偏光または左円偏光された状態で出射される。
【００２７】
左円及び右円偏光された信号を排出することができるフィルターでは、ＲＣ領域及びＬＣ領域に含まれる位相差層がλ/４波長層の場合を例示することができる。お互いに逆方向に回転する円偏光された光を生成するために、前記ＲＣ領域に配置されたλ/４波長層の光軸と前記ＬＣ領域に配置されたλ/４波長層の光軸はお互いに相違に形成されている。一例において、ＲＣ領域は、前記位相差層として第１の方向に光軸を有するλ/４波長層を含み、ＬＣ領域は、前記位相差層として前記第１の方向とは相異なっている第２の方向に光軸を有するλ/４波長層を含むことができる。本明細書で用語「ｎλ波長層」は、入射される光を各々の波長のその波長のｎ倍ほど位相遅延をさせることができる位相遅延素子を意味し、前記ｎは、例えば、１/４、１/２または３/４である。
【００２８】
前記３Ｄ装置において、フィルター部の形態は、前記例示された形態で限定されるものではない。例えば、フィルター部のＲＣ及びＬＣ領域の中でいずれの一つは３λ/４波長層を含み、他の領域は、λ/４波長層を含む場合にも左円及び右円偏光された光を生成することができる。前記３λ/４波長層は、例えば、λ/２波長層及びλ/４波長層を積層して製造することができる。
【００２９】
図６は、図４または図５に例示したＲＣ領域及びＬＣ領域の光軸方向を説明するための模式図である。図６の例示において、ＬＣ領域に第１の方向に形成された光軸はＡ１で表示され、ＲＣ領域に第２の方向に形成された光軸はＡ２で表示されている。
【００３０】
ＲＣ領域及びＬＣ領域の光軸(Ａ１、Ａ２)は、前記光軸Ａ１、Ａ２が成す角度を二等分する線が前記第１の偏光板の吸収軸と平行または垂直を成すように形成されている。このような光軸の配置を通じて、表示部で生成されて偏光板を透過した信号が正確に左円偏光及び右円偏光に変換されることができる。これによって、優れた立体映像品質を具現し、また立体映像観察時に問題になるいわゆるクロストーク現象を防止することができる。用語「光軸が成す角度を二等分する線」は、図６を参照すれば、「Θ１＋Θ２」または「３６０−(Θ１＋Θ２)」の角度を二等分する線を意味する。例えば、Θ１及びΘ２が同一な角度なら、二等分線はＲＣ領域及びＬＣ領域の境界線(Ｌ)と平行な方向に形成される。また、ＲＣ領域及びＬＣ領域の光軸Ａ１、Ａ２は、お互いに垂直を成してもよい。このような状態は、例えば、図６において、「Θ１＋Θ２」または「３６０−(Θ１＋Θ２)」の角度が実質的に９０度である場合を意味する。このような光軸配置を通じて、視野角及びコントラスト比などの立体映像品質を優秀に具現すると共にクロストーク現象を防止することができる。
【００３１】
フィルター部から排出されるお互いに異なる偏光状態を有するＲ信号及びＬ信号を前記偏光メガネを着用して観察すれば、立体映像を観察することができる。
【００３２】
偏光メガネは、ＧＬ領域及びＧＲ領域を含む。一例として、偏光メガネにおいて、ＧＬ領域は位相差層と偏光子を含み、ＧＲ領域も位相差層と偏光子を含むことができる。図７は、偏光メガネ７０を例示的に示した図である。図７のように、偏光メガネ７０は、位相差層７０１Ｌ、７０１Ｒと偏光子７０２Ｌ、７０２Ｒとを各々含むＧＬ及びＧＲ領域を含むことができる。図７において、矢印はＲ信号またはＬ信号の進行方向を意味する。
【００３３】
偏光メガネに含まれる偏光子は、３Ｄ装置に含まれる偏光板のように所定方向に形成された吸収軸と前記吸収軸の方向とは垂直の方向に透過軸を有する光学素子である。
【００３４】
一例として、偏光メガネのＧＲ領域に含まれる偏光子の吸収軸とＧＬ領域に含まれる偏光子の吸収軸がお互いに平行になるように前記偏光子が各領域に配置されている。また、お互いに平行に形成されている各偏光子の吸収軸は、ＧＬ領域の中心とＧＲ領域の中心を連結する仮想の線を３Ｄ装置のＲＣ領域、例えば、前記第１の領域と、ＬＣ領域、例えば、前記第２の領域の境界線と垂直または水平を成すように前記眼鏡を位置させた状態で、前記第１の偏光板の吸収軸と垂直を成すように配置されることが好ましい。このような状態で高品質の立体映像の観察が可能である。
【００３５】
本明細書において、眼鏡のＧＬ領域及びＧＲ領域の中心を連結する仮想の線は、例えば、図８に示したように、ＧＲ領域及びＧＬ領域(ＧＲ、ＧＬ)の中心(Ｃ)を連結する仮想の線(ＣＬ)を意味し、前記領域の中心は、重さ中心(ｃｅｎｔｅｒ of ｇｒａｖｉｔｙ)を意味する。
【００３６】
偏光メガネのＧＲ領域及びＧＬ領域は、各々位相差層を含むことができる。偏光メガネのＧＲ領域及びＧＬ領域に含まれる位相差層は、各々フィルター部のＲＣ領域及びＬＣ領域に含まれる位相差層と下記一般式１または一般式２条件を満足する。
【００３７】
[一般式１]
ＤＬ＝|Θ２−ΘＬ|≦１５度
【００３８】
[一般式２]
ＤＲ＝|Θ１−ΘＲ|≦１５度
【００３９】
前記一般式１及び一般式２において、ＤＬは、ＬＣ領域の位相差層の光軸及びＧＬ領域の位相差層の光軸の相対的な離脱程度であり、Θ２は、ＬＣ領域の位相差層の光軸が第１の偏光板の吸収軸と成す角度であり、ΘＬは、ＧＬ領域の偏光子の吸収軸を第１の偏光板の吸収軸と垂直になるように配置した状態で、ＧＬ領域の位相差層の光軸と第１の偏光板吸収軸が成す角度であり、ＤＲは、ＲＣ領域の位相差層の光軸及びＧＲ領域の位相差層の光軸の相対的な離脱程度であり、Θ１は、ＲＣ領域の位相差層の光軸が第１の偏光板の吸収軸と成す角度であり、ΘＲは、ＧＲ領域の偏光子の吸収軸を第１の偏光板の吸収軸と垂直になるように配置した状態で、ＧＲ領域の位相差層の光軸と第１の偏光板の吸収軸が成す角度である。
【００４０】
前記一般式１及び一般式２において、Θ１、Θ２、ΘＲ及びΘＬの各角度は、第１の偏光板の吸収軸から時計方向または半時計方向で測定された角度であるが、同一な式に代入される各角度は同一な方向で測定された角度である。
【００４１】
図９は、一般式１のＤＬの角度関係を模式的に示した図である。第１の偏光板の吸収軸ＡＤとＧＬ領域の偏光子の吸収軸ＡＧを垂直で配置した状態で、第１の偏光板の吸収軸ＡＤから時計方向に測定したＬＣ領域の位相差層の光軸ＳＦの角度がΘ２で表示されており、前記吸収軸ＡＤから時計方向に測定したＧＬ領域の位相差層の光軸ＳＧの角度がΘＬで表示されている。また、図１０は、一般式２のＤＲの角度関係を模式的に示した図である。第１の偏光板の吸収軸ＡＤとＧＲ領域の偏光子の吸収軸ＡＧを垂直で配置した状態で、第１の偏光板の吸収軸ＡＤから半時計方向に測定したＲＣ領域の位相差層の光軸ＳＦの角度がΘ１で表示されており、前記吸収軸ＡＤから半時計方向に測定したＧＲ領域の位相差層の光軸ＳＧの角度がΘＲで表示されている。
【００４２】
一般式１で、ＤＬは、例えば、１４度以下、１３度以下、１２度以下、１１度以下、１０度以下、９度以下、８度以下、７度以下、６度以下または５度以下である。一般式２で、ＤＲは、例えば、１４度以下、１３度以下、１２度以下、１１度以下、１０度以下、９度以下、８度以下、７度以下、６度以下または５度以下である。
【００４３】
フィルター部及び偏光メガネの位相差層の光軸の関係を一般式１及び/または一般式２により規定すれば、立体映像の品質を向上させることができる。
【００４４】
前記３Ｄ装置は、前記偏光メガネを着して映像を観察する時のクロストーク割合(ｃｒｏｓｓｔａｌｋ ｒａｔｉｏ)が６％以下、５％以下、４％以下、３％以下、２％以下、１％以下または０.５％以下である。本明細書において用語クロストークの割合ＣＴは、前記偏光メガネを着用して前記３Ｄ装置から出射される立体映像を観察する時の明状態の輝度ＬＷ対比暗状態の輝度ＬＢの割合の百分率を意味し、下記数式１により計算できる。
【００４５】
［数１］
ＣＴ＝１００×ＬＢ/ＬＷ
【００４６】
本明細書において用語「明状態」は、３Ｄ装置から出射された映像信号が偏光メガネを透過する状態を意味し、用語「暗状態」は、３Ｄ装置で出射された映像信号が偏光メガネにより遮断される状態を意味する。例えば、偏光メガネのＧＲ領域は、３Ｄ装置から出射されるＲ信号は透過させて、Ｌ信号は遮断させることができるように構成され、ＧＬ領域は、３Ｄ装置から出射されるＲ信号は遮断させて、Ｌ信号は透過させるように構成されている場合に、前記明状態の輝度ＬＷは、３Ｄ装置から出射されたＲ信号がＧＲ領域を透過した後の輝度であるかあるいはＬ信号がＧＬ領域を透過した後の輝度である。また、前記状態で前記暗状態の輝度ＬＢは、３Ｄ装置から出射されたＲ信号がＧＬ領域を透過した後の輝度であるかあるいはＬ信号がＧＲ領域を透過した後の輝度である。
【００４７】
また、前記３Ｄ装置は、偏光メガネを着用して立体映像を観察する場合に、明状態の信号、例えば、ＧＲ領域を透過したＲ信号またはＧＬ領域を透過したＬ信号のＣＩＥ(Ｉｎｔｅｒｎａｔｉｏｎａｌ Ｃｏｍｍｉｓｓｉｏｎ ｏｎ Ｉｌｌｕｍｉｎａｔｉｏｎ)色空間での三色刺激値(Ｔｒｉｓｔｉｍｕｌｕｓ ｖａｌｕｅ)のうちＸ値が０.３２２〜０.３４４であり、Ｙ値が０.３１６〜０.３５０である。前記Ｘ値の下限は、例えば、０.３２３、０.３２５、０.３２６または０.３２７であり、上限は、０.３４１、０.３３９、０.３３７または０.３３５であり、Ｙ値の下限は、例えば、０３２６、０.３２９または０.３３１であり、上限は、０.３４０、０.３３８、０.３３７、０.３３６、０.３３５または０.３３４である。前記Ｘ値及びＹ値の範囲は、前記上限及び/または下限の中で任意の数が選択及び組合された範囲である。
【００４８】
また、前記３Ｄ装置は、偏光メガネを着用して立体映像を観察する場合に、暗状態の信号、例えば、ＧＲ領域を透過したＬ信号またはＧＬ領域を透過したＲ信号のＣＩＥ色空間での三色刺激値のうちＸ値が０.２２３〜０.４４３であり、Ｙ値が０.０７８〜０.５８９である。前記Ｘ値の下限は、例えば、０.２３０、０.２５０、０.２７０、０.２９０、０.３１２、０.３２２または０.３３１であり、上限は、０.４３６、０.４００、０.３７５または０.３５５であり、Ｙ値の下限は、例えば、０.１３０、０.２３５、０.２５５、０.２７５、０.２９５、０.３１５、０.３２５または０.３３１であり、上限は、０.５３７、０.４３２、０.４００、０３５５、０.３４５または０.３３５である。前記Ｘ値及びＹ値の範囲は、前記上限及び/または下限の中で任意の数値が選択及び組合された範囲である。
【００４９】
３Ｄ装置または偏光メガネのクロストーク割合及びＣＩＥ色空間の三色刺激値を前記のように調節するためには、例えば、フィルター部及び/または偏光メガネの位相差層の位相差値及び/または各位相差層の光軸の関係を調節する方法を使用することができる。また、３Ｄ装置または偏光メガネのクロストーク割合及びＣＩＥ色空間の三色刺激値の調節は、フィルター部及び偏光メガネの位相差層の波長分散特性(ｗａｖｅｌｅｎｇｔｈ ｄｉｓｐｅｒｓｉｏｎ ｐｒｏｐｅｒｔｙ)を調節して実行することもできる。
【００５０】
一例において、前記フィルター部及び偏光メガネの位相差層では、正常(ｎｏｒｍａｌ)波長分散特性(以下、「Ｎ特性」)、フラット(ｆｌａｔ)波長分散特性(以下、「Ｆ特性」)または逆(ｒｅｖｅｒｓｅ)波長分散特性(以下、「Ｒ特性」)を有する位相差層を使用することができる。
【００５１】
本明細書で位相差層の波長分散特性を説明する過程で使用するＲ(λ)は、λｎｍの波長の光に対して測定した位相差層の位相差値を意味する。例えば、Ｒ(４５０)、Ｒ(５５０)及びＲ(６５０)は、各々４５０ｎｍ、５５０ｎｍ及び６５０ｎｍの波長の光に対して測定した位相差値を意味する。
【００５２】
また、前記位相差値は、例えば、下記数式２で計算される面方向位相差ＲＩＮであるか、あるいは下記数式３で計算される厚さ方向位相差ＲＴＨであり、例えば、下記数式２で計算される面方向位相差である。
【００５３】
［数２］
ＲＩＮ＝(Ｘ−Ｙ)×Ｄ
【００５４】
［数３］
ＲＴＨ＝(Ｚ−Ｙ)×Ｄ
【００５５】
前記数式２及び数式３において、ＲＩＮ及びＲＴＨは、各々位相差層の面方向位相差及び厚さ方向位相差であり、Ｘは、前記位相差層の面内遅相軸方向の屈折率であり、Ｙは、前記位相差層の面内進相軸方向の屈折率であり、Ｚは、前記位相差層の厚さ方向の屈折率であり、Ｄは、前記位相差層の厚さである。
【００５６】
本明細書で用語「Ｎ特性の位相差層」は、特定しない限り、Ｒ(４５０)/Ｒ(５５０)がＲ(６５０)/Ｒ(５５０)に比べて大きい位相差層を意味する。一例で、前記Ｎ特性の位相差は、Ｒ(４５０)/Ｒ(５５０)が、１.０１〜１.１９、１.０２〜１.１８、１.０３〜１.１７、１.０４〜１.１６、１.０５〜１.１５、１.０６〜１.１４、１.０７〜１.１３、１.０８〜１.１２または１.０９〜１.１１である。また、前記Ｎ特性の位相差層は、Ｒ(６５０)/Ｒ(５５０)が、０.８１〜０.９９、０８２〜０.９８、０.８３〜０.９７、０.８４〜０.９６、０.８５〜０.９５、０.８６〜０.９４、０.８７〜０.９３、０.８８〜０.９２または０.８９〜０.９１である。前記Ｎ特性の位相差層は、{Ｒ(６５０)−Ｒ(４５０)}/{２００×Ｒ(５５０)}が、−０.００１９〜−０.０００１、−０.００１８〜−０.０００２、−０.００１７〜−０.０００３、−０.００１６〜−０.０００４、−０.００１５〜−０.０００５、−０.００１４〜−０.０００６、−０.００１３〜−０.０００７、−０.００１２〜−０.０００８、−０.００１１〜−０.０００９または約−０.００１である。
【００５７】
本明細書で用語「Ｆ特性の位相差層」は、特定しない限り、Ｒ(４５０)/Ｒ(５５０)がＲ(６５０)/Ｒ(５５０)と実質的に同一な位相差層を意味する。一例で、前記Ｎ特性の位相差層は、Ｒ(４５０)/Ｒ(５５０)及びＲ(６５０)/Ｒ(５５０)が、各々１.０１〜１.１９、１.０２〜１.１８、１.０３〜１.１７、１.０４〜１.１６、１.０５〜１.１５、１.０６〜１.１４、１.０７〜１.１３、１.０８〜１.１２または１.０９〜１.１１である。また、前記Ｎ特性の位相差層は、{Ｒ(６５０)−Ｒ(４５０)}/{２００×Ｒ(５５０)}が、±０.０００９以内、±０.０００８以内、±０.０００７以内、±０.０００６以内、±０.０００５以内、±０.０００４以内、±０.０００３以内、±０.０００２以内、±０.０００１以内または約０である。
【００５８】
本明細書で用語「Ｒ特性の位相差層」は、特定しない限り、Ｒ(４５０)/Ｒ(５５０)がＲ(６５０)/Ｒ(５５０)に比べて小さい位相差層を意味する。一例で、前記Ｎ特性の位相差層は、Ｒ(４５０)/Ｒ(５５０)が、０.８１〜０.９９、０.８２〜０.９８、０.８３〜０.９７、０.８４〜０.９６、０.８５〜０.９５、０.８６〜０.９４、０.８７〜０.９３、０.８８〜０.９２または０.８９〜０.９１である。また、Ｎ特性の位相差層は、Ｒ(６５０)/Ｒ(５５０)が、１.０１〜１.１９、１.０２〜１.１８、１.０３〜１.１７、１.０４〜１.１６、１.０５〜１.１５、１.０６〜１.１４、１.０７〜１.１３、１.０８〜１.１２または１.０９〜１.１１である。また、前記Ｎ特性の位相差層は、{Ｒ(６５０)−Ｒ(４５０)}/{２００×Ｒ(５５０)}が、０.０００１〜０.００１９、０.０００２〜０.００１８、０.０００３〜０.００１７、０.０００４〜０.００１６、０.０００５〜０.００１５、０.０００６〜０.００１４、０.０００７〜０.００１３、０.０００８〜０.００１２、０.０００９〜０.００１１または約０.００１である。
【００５９】
一例において、前記フィルター部の位相差層及び偏光メガネの位相差層、例えば、ＲＣ領域の位相差層とＧＲ領域の位相差層及び/またはＬＣ領域の位相差層とＧＬ領域の位相差層は、お互いに同一な波長分散特性を有することができる。前記お互いに同一な波長分散特性を有する位相差層は、下記数式４を満足する。
【００６０】
［数４］
−２０ｎｍ≦Ｒ２(λ)−Ｒ１(λ)≦２０ｎｍ
【００６１】
前記数式４において、Ｒ１(λ)は、λｎｍの波長の光に対して測定した前記フィルター部の位相差層の位相差値であり、Ｒ２(λ)は、λｎｍの波長の光に対して測定した前記偏光メガネの位相差層の位相差値である。
【００６２】
一例において、「Ｒ２(λ)−Ｒ１(λ)」の下限は、−１５ｎｍ、−１０ｎｍまたは−５ｎｍである。また、一例において、「Ｒ２(λ)−Ｒ１(λ)」の上限は、１５ｎｍ、１０ｎｍまたは５ｎｍである。
【００６３】
前記数式を満足する波長分散特性の位相差層をフィルター部及び偏光メガネに各々使用することで立体映像のクロストーク割合と三色刺激値を適切な範囲で維持することができ、それによって、色特性が優れた高品質の立体映像の観察が可能である。
【００６４】
フィルター部及び偏光メガネの位相差層がお互いに同一な波長分散特性を有する場合の位相差層では、Ｎ、ＲまたはＦ特性の位相差層を使用することができ、一例では、Ｒ特性の位相差層を使用することができる。
【００６５】
他の例示において、前記フィルター部の位相差層及び偏光メガネの位相差層、例えば、ＲＳ領域の位相差層とＧＲ領域の位相差層及び/またはＬＳ領域の位相差層とＧＬ領域の位相差層は、お互いに異なる波長分散特性を有することができる。前記お互いに異なる波長分散特性を有する位相差層は、下記数式５を満足する。
【００６６】
［数５］
−４０ｎｍ≦Ｒ２(λ)−Ｒ１(λ)≦４０ｎｍ
【００６７】
前記数式５において、Ｒ１(λ)は、λｎｍの波長の光に対して測定した前記フィルター部の位相差層の位相差値であり、Ｒ２(λ)は、λｎｍの波長の光に対して測定した前記偏光メガネの位相差層の位相差値である。
【００６８】
一例において、前記「Ｒ２(λ)−Ｒ１(λ)」の下限は、−３５ｎｍ、−３０ｎｍ、−２５ｎｍ、−２０ｎｍ、−１５ｎｍ、−１０ｎｍまたは−５ｎｍである。また、一例において、「Ｒ２(λ)−Ｒ１(λ)」の上限は、３５ｎｍ、３０ｎｍ、２５ｎｍ、２０ｎｍ、１５ｎｍ、１０ｎｍまたは５ｎｍである。
【００６９】
前記数式を満足する波長分散特性の位相差層をフィルター部及び偏光メガネに各々使用することで立体映像のクロストーク割合と三色刺激値を適切な範囲で維持することができ、それによって、色特性が優れた高品質の立体映像の観察が可能である。
【００７０】
フィルター部及び偏光メガネの位相差層がお互いに異なる波長分散特性を有する場合に、フィルター部の位相差層としてＦ特性の位相差層を使用した場合には、偏光メガネの位相差層では 、Ｒ特性またはＮ特性の位相差層を使用することができ、フィルター部の位相差層としてＮ特性の位相差層を使用した場合には、偏光メガネの位相差層は、Ｒ特性またはＦ特性の位相差層を使用することができ、フィルター部の位相差層としてＲ特性の位相差層を使用した場合には、偏光メガネの位相差層では、Ｎ特性またはＦ特性の位相差層を使用することができる。
【００７１】
Ｎ特性、Ｒ特性またはＦ特性の位相差層では、各々の場合に要求される特性を満足する限り、この分野で公知された多様な素材を制限なしに使用することができる。
【００７２】
例えば、前記位相差層では、重合性液晶化合物を重合させて得られる液晶層、一軸または２軸延伸などの工程により位相差が付与された高分子フィルムまたは前記液晶層と前記高分子フィルムの積層フィルムなどを使用することができる。
【００７３】
前記液晶層は、例えば、隣接する配向層により配向された状態で重合されている重合性液晶化合物を含む。例えば、適切な基材上に配向層を形成し、その配向層上に重合性液晶化合物を含む液晶組成物をコーティングした後に配向及び重合させる方式で前記液晶層を形成することができる。前記基材では、位相差がない等方性の基材を使用するか、必要に応じては、適切な波長分散特性の具現のために適切な位相差を有する基材を使用することができる。前記配向層では、この分野で公知された通常の配向層として、例えば、直線偏光された光の照射により誘導される異性化(ｃｉｓ−ｔｒａｎｓ ｉｓｏｍｅｒｉｚａｔｉｏｎ)、フリーズ転位(ｆｒｉｅｓｒｅａｒｒａｎｇｅｍｅｎｔ)または二量化(ｄｉｍｅｒｉｚａｔｉｏｎ)反応により配向が決定され、決定された配向により隣接する液晶層に配向を誘導することができる光配向層、ラビング処理されたポリイミド層のような高分子層または複数の溝領域がパターニングされて形成されているアクリル硬化型樹脂層などを例示することができる。また、前記配向層上にコーティングされる重合性液晶化合物の種類も特別に限定されるものではなく、例えば、メルク(Ｍｅｒｋ)社のＲＭ(Ｒｅａｃｔｉｖｅ Ｍｅｓｏｇｅｎ)またはＢＡＳＦ社のＬＣ２４２などのような公知の化合物を使用することができる。
【００７４】
また、前記１軸または２軸延伸により位相差を付与した高分子フィルムでは、例えば、ＰＭＭＡ(ｐｏｌｙ(ｍｅｔｈｙｌｍｅｔｈａｃｒｙｌａｔｅ)などのアクリルフィルムや、ＰＮＢ(ｐｏｌｙｎｏｒｂｏｒｎｅｎｅ)などのようなＣＯＰ(ｃｙｃｌｏｏｌｅｆｉｎ ｐｏｌｙｍｅｒ)フィルムなどを例示することができるが、これに限定されるものではない。
【００７５】
また、前記位相差層は、前記のような高分子フィルムを２枚以上積層するか、一つ以上の前記液晶層と一つ以上の前記高分子フィルムをお互いに積層して構成してもよい。
【００７６】
また、本出願は、偏光メガネ、例えば、立体映像を観察するための偏光メガネに関する。
【００７７】
前記偏光メガネは、例えば、映像信号を生成することができる表示部と、表示部で生成された映像信号をお互いに偏光状態が相異なっている２種以上の信号に分割することができる第１及び第２の領域と、を含み、前記第１及び第２の領域は、位相差層を各々有するフィルター部を含み、必要に応じて、前記表示部とフィルター部の間に第１の偏光板を含む３Ｄ装置からの映像を観察する偏光メガネである。一例において、前記３Ｄ装置は、本明細書で上述した３Ｄ装置であり、このような場合、上述した３Ｄ装置及び偏光メガネに対する説明が前記偏光メガネに対する部分にも同一に適用されることができる。
【００７８】
一例において、前記偏光メガネは、前記３Ｄ装置について上述した偏光メガネと同一な偏光メガネである。したがって、前記偏光メガネは、ＧＲ領域及びＧＬ領域を含み、前記ＧＲ領域及びＧＬ領域は、位相差層及び偏光子を各々含むことができる。
【００７９】
また、前記偏光メガネを着用して前記３Ｄ装置からの映像を観察する場合のクロストーク割合、明状態及び暗状態の映像信号のＣＩＥ色空間の三色刺激値のＸ値及びＹ値は、前記３Ｄ装置で説明した範囲と同一な範囲を有することができる。
【００８０】
そのために前記偏光メガネのＧＲ領域及びＧＬ領域の偏光子の吸収軸及び位相差層の光軸のフィルター部の位相差層の光軸に対する関係は、前記３Ｄ装置の項目で記述した内容のように設定することができる。
【００８１】
また、必要に応じて、偏光メガネの位相差層及びフィルター部の位相差層は、Ｎ特性、Ｆ特性またはＲ特性を有することができる。このような場合に前記Ｎ特性、Ｆ特性及びＲ特性の各々の具体的な内容や偏光メガネの位相差層とフィルター部の位相差層での各特性の組合せは、前記３Ｄ装置で記述した内容が同一に適用される。
【発明の効果】
【００８２】
本発明の３Ｄ装置及び偏光メガネによれば、優秀なクロストーク割合を有して色特性が優れた立体映像を観察することができる。
【図面の簡単な説明】
【００８３】
【図１】例示的な立体映像表示装置を示した図である。
【図２】ＬＳ領域とＲＳ領域の例示的な配置を示した模式図である。
【図３】ＬＳ領域とＲＳ領域の例示的な配置を示した模式図である。
【図４】ＬＣ領域とＲＣ領域の例示的な配置を示した模式図である。
【図５】ＬＣ領域とＲＣ領域の例示的な配置を示した模式図である。
【図６】ＬＣ及びＲＣ領域の位相差層の光軸の関係を説明するための模式図である。
【図７】立体映像観察用メガネの概略的な形態を示した図である。
【図８】立体映像観察用メガネの概略的な形態を示した図である。
【図９】ＤＲ及びＤＬを説明するための図である。
【図１０】ＤＲ及びＤＬを説明するための図である。
【図１１】実施例で使用したＮ特性、Ｆ特性またはＲ特性の位相差層の特性を示した図である。
【符号の説明】
【００８４】
１０：３Ｄ装置（立体映像表示装置）
１０１：光源
１０２：第２の偏光板
１０３：表示部
１０４：第１の偏光板
１０５：フィルター部
１０６：観察者
７０：偏光メガネ
７０１Ｌ、７０１Ｒ：位相差層
７０２Ｌ、７０２Ｒ：偏光子
【実施例】
【００８５】
以下、実施例及び比較例を参照して前記３Ｄ装置と偏光メガネについて説明する。しかし、前記装置と眼鏡の範囲が下記実施例に限定されないものではない。
【００８６】
以下、本実施例で各物性は、下記のような方式で評価することができる。
【００８７】
１.位相差層の位相差値
位相差層の位相差値は、１６個のミュラーマトリックス(Ｍｕｌｌｅｒ Ｍａｔｒｉｘ)を測定することができる装備であるＡｘｏｓｃａｎ(Ａｘｏｍａｔｒｉｃｓ社製)を使用して測定した。具体的には、前記装備を使用して製造社のマニュアルによって位相差層の１６個のミュラーマトリックスを求めて、これを通じて位相差値を抽出した。
【００８８】
２.クロストーク割合の評価方法
３Ｄ装置のクロストーク割合は、下記方式で測定することができる。まず、３Ｄ装置の通常の観測地点に偏光メガネを位置させる。前記通常の観測地点は、３Ｄ装置の中心から前記３Ｄ装置の水平方向の長さの３/２倍に該当する距離ほど離れた地点であり、このような位置で前記眼鏡は観察者が３Ｄ装置の中心に向けて観察することを仮定して位置させる。前記３Ｄ装置の水平方向の長さは、観察者が立体映像を観察する状態を仮定する時、前記観察者を基準とした水平方向の長さ、例えば、３Ｄ装置の横の長さである。前記配置で３Ｄ装置がＬ信号を出力するようにした状態で偏光メガネのＧＬ及びＧＲ領域の背面に輝度計(装備名：ＳＲ-ＵＬ２ Ｓｐｅｃｔｒｏｍｅｔｅｒ)を配置して、各々の場合の輝度を測定する。前記ＧＬ領域の背面で測定される輝度は、明状態の輝度であり、ＧＲ領域の背面で測定される輝度は、暗状態の輝度である。各輝度を測定した後、明状態の輝度に対する暗状態の輝度の割合([暗状態の輝度]/[明状態の輝度])を求めて、その百分率をクロストーク割合で規定することができる。また、クロストークの割合は、前記と同一な方式で測定するが、３Ｄ装置がＲ信号を出力している状態で明及び暗状態での輝度を求めて測定することができる。この場合、ＧＬ領域の背面で測定される輝度は、暗状態の輝度であり、ＧＲ領域の背面で測定される輝度は、明状態の輝度である。同様にその割合([暗状態の輝度/明状態の輝度])の百分率をクロストークの割合で規定することができる。
【００８９】
３.ＣＩＥ色空間のＸ値及びＹ値の測定
ＣＩＥ色空間のＸ値及びＹ値は、下記の方式で測定した。３Ｄ装置の通常の観測地点に偏光メガネを位置させる。前記通常の観測地点は、クロストーク割合の測定時に記述した地点のようである。前記配置で３Ｄ装置がＬ信号を出力するようにした状態で、偏光メガネのＧＬ領域及びＧＲ領域の背面に輝度計(装備名：ＳＲ−ＵＬ２ Ｓｐｅｃｔｒｏｍｅｔｅｒ)を配置させて、各場合の波長によるスペクトラムを測定した後、これを基礎としてＸ値及びＹ値を導出することができる。前記ＧＬ領域の背面で測定されるスペクトラムから明状態のＸ値及びＹ値を測定することができ、ＧＲ領域の背面で測定されるスペクトラムから暗状態のＸ値及びＹ値を測定することができる。また、前記Ｘ値及びＹ値は、３Ｄ装置がＲ信号を出力するようにした状態でスペクトラムを測定して求めることもできる。Ｒ信号が出力される場合には、ＧＬ領域の背面で測定されるスペクトラムから暗状態のＸ値及びＹ値を測定して、ＧＲ領域の背面で測定されるスペクトラムから明状態のＸ値及びＹ値を求めることができる。
【００９０】
実施例１から実施例９
図１に示したような構造を有し、表示部１０３のＲＳ領域及びＬＳ領域は、図２のように配置されて、フィルター部１０５のＲＣ領域とＬＣ領域は、図４のような形態で配置された３Ｄ装置１０を構成した。前記装置１０において、フィルター部のＲＣ領域には、第１の偏光板１０４の吸収軸と半時計方向に４５度を成す方向に遅相軸が形成された位相差層を位置させて、ＬＣ領域には、第１の偏光板１０４の吸収軸と時計方向に４５度を成す方向に遅相軸が形成された位相差層を位置させた。前記装置１０において、第１の偏光板１０４の吸収軸は、装置１０の縦方向と水平を成すようにして、第２の偏光板１０２の吸収軸は、第１の偏光板１０４の吸収軸と垂直を成すようにした。前記３Ｄ装置から出射される映像を、図７のように、ＧＬ領域及びＧＲ領域を含む偏光メガネを着用して観察しながらクロストークの割合などを評価した。前記偏光メガネで各偏光子７０２Ｌ、７０２Ｒは、各吸収軸がお互いに平行な方向に形成され、また、ＧＬ領域の中心とＧＲ領域の中心を連結する仮想の線(図８に示した仮想の線(ＣＬ))が３Ｄ装置のＬＣ及びＲＣ領域の境界と垂直になるように偏光メガネを位置させた場合に、第１の偏光板１０４の吸収軸とＧＬ領域及びＧＲ領域の偏光子の吸収軸が垂直を成すように配置した。また、ＧＬ領域の位相差層７０１Ｌでは、偏光メガネの偏光子の吸収軸と第１の偏光板１０４の吸収軸が垂直を成すように偏光メガネを配置した場合に、ＬＣ領域の位相差層と実質的に同一な方向に光軸が形成された位相差層を使用した。ＧＲ領域の位相差層７０１Ｒでは、偏光メガネの偏光子の吸収軸と第１の偏光板１０４の吸収軸が垂直を成すように偏光メガネを配置した場合に、ＲＣ領域の位相差層と実質的に同一な方向に光軸が形成された位相差層を使用した。前記３Ｄ装置でＬＣ領域及びＲＣ領域の位相差層とＧＬ領域及びＧＲ領域の位相差層の種類を下記表１のように各々変更して、各々の場合のクロストークの割合とＣＩＥ色空間でのＸ及びＹ値を各々測定して、その結果を下記表２に記載した。なお、図１１は、実施例で使用したＮ特性、Ｆ特性またはＲ特性の位相差層の特性を示した図である。
【００９１】
【表１】
0005765604.tif 000002
【００９２】
【表２】
0005765604.tif 000003
【００９３】
表２の結果から分かるように、フィルター部の位相差層と偏光メガネの位相差層の波長分散特性を調節することで、立体映像の観察時にクロストークの割合と明及び暗状態での色特性を調節することができる。
【００９４】
表２の結果では、フィルター部の位相差層と偏光メガネの位相差層の波長分散特性がお互いに同一であれば、暗状態の色特性の改善に有利であり、反対に前記波長分散特性がお互いに相異なっていれば、明状態の色特性の改善に有利であった。特に、フィルター部の位相差層と偏光メガネの位相差層として全てＲ特性の位相差層を使用すれば、クロストークの割合、明及び暗状態での色特性のすべての側面で優れた結果が確認された。
【図１】
0005765604.tif 000004
【図２】
0005765604.tif 000005
【図３】
0005765604.tif 000006
【図４】
0005765604.tif 000007
【図５】
0005765604.tif 000008
【図６】
0005765604.tif 000009
【図７】
0005765604.tif 000010
【図８】
0005765604.tif 000011
【図９】
0005765604.tif 000012
【図１０】
0005765604.tif 000013
【図１１】
0005765604.tif 000014